【事件の表示】
　特許第２５７５９１５号「冷蔵庫」の特許に対する特許異議の申立てについて、次のとおり決定する。
【結論】
　訂正を認める。
　特許第２５７５９１５号の特許を維持する。
【理由】
１．手続きの経緯
　本件特許第２５７５９１５号に係る発明についての出願は、平成２年３月１６日に特許出願され、平成８年１１月７日にその発明について特許の設定登録がなされ、その後、その特許について異議申立人・松山巌による特許異議の申立てがなされ、当審よりの取消理由通知がなされ、それに対しその指定期間内である平成１０年１月２７日に訂正請求がなされたものである。
２．明細書の訂正
（１）訂正明細書の請求項１に係る発明
　訂正明細書の特許請求の範囲の請求項１に係る発明は、その特許請求の範囲の請求項１に記載された事項によって特定される次の通りのものと認める。
「【請求項１】冷凍室の上方に冷蔵室、下方に野菜室を形成し、それら各室を冷却すべく冷却器により冷却された空気をファン装置により循環させるようにしたものであって、前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させたことを特徴とする冷蔵庫。」
（２）訂正の内容
　特許権者が求めている訂正の内容は、次の通りである。
　イ．特許請求の範囲の請求項１に記載の「前記冷蔵室に送られた冷気を戻すための冷蔵室用帰還路を前記野菜室に連通させ、野菜室に送らた冷気を野菜室用帰還路を介して前記冷却器に戻すようにした」を「前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させた」と訂正する。
　ロ．発明の詳細な説明の記載において、明細書第４頁第２０行から第５頁第３行の「前記冷蔵室に送られた冷気を戻すための冷蔵室用帰還路を前記野菜室に連通させ、野菜室に送られた冷気を野菜室用帰還路を介して前記冷却器に戻すようにした」を「前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の中央部に対応位置させた」と訂正し、
　同第５頁第１３行に記載の「背壁に」を「冷凍室後部の断熱壁内に冷却器に隣接して」と訂正し、
　同第５頁第１４行に記載の「背壁は例えば」を「冷凍室後部の断熱壁は」と訂正し、
　同第５頁第１７行に記載の「い。」の次に「また、野菜室用帰還路が冷凍室と野菜室とを仕切る断熱仕切壁に形成されてその流出口が冷凍室の横方向の中央部に対応位置するので、冷却器に霜が偏って付着することがない。」を加入し、
　同第８頁第４行から第５行に記載の「背壁のうち」を「冷凍室２４後部の断熱壁内で」と訂正し、
　同第１０頁第１８行に記載の「背壁部」を「冷凍室後部の断熱壁内」と訂正し、
　同第１１頁第２行に記載の「本発明によれば、」と「冷蔵室」との間に「冷蔵室用帰還路を冷凍室後部の断熱壁内で冷凍室の背部に配置された冷却器に隣接する部位を通って下方に延長して先端の流出口を野菜室に開口させるようにしたので、」を加入し、同第１１頁第４行に記載の「共に、」と第５行の「冷却器」との間に「野菜室用帰還路を冷凍室と野菜室とを仕切る断熱仕切壁に形成してその流出口を冷却器の横方向の中央部に対応位置させたので、」を加入する。
　ハ．発明の詳細な説明の記載において、明細書第７頁第１１に記載の「望む」を「臨む」と訂正する。
３．訂正の適否についての判断
（１）訂正の目的の適否および拡張・変更の存否
　イ．について
　願書に添付した明細書（以下、特許明細書という）の発明の詳細な説明中に「上記冷凍室２４の背部には第４図に示すように凹室が形成されており、この凹室は冷凍室２４から仕切坂２７により隔離されて冷却器室２８として構成されている。この冷却器室２８内には第２図に示すようにファン装置２９および冷却器３０が上下の位置関係をもって配設されており、」（特許明細書第６頁第７〜１２行）、「上記冷蔵室用帰還路３４は、第１図に示すように上断熱仕切壁２２の中央部に形成された流人口３４ａから右後方に向って延長され、さらに第４図にも示すように断熱箱体２１の背壁のうち冷却器室２８の右側に隣接する位置において下方に向って延長されてその下端の流出口３４ｂが野菜室２６内に開口されている。また、野菜室用帰還路３５は第１図に示すように下断熱仕切壁２３の中央部に前記２本の冷凍室用帰還路３２間に位置するようにして形成され、第２図に示すようにその流人口３５ａは下断熱仕切壁２３の前部において野菜室２６内に開口し、流出口３５ｂは冷却器室２８内に対し該冷却器室２８の底部において前記両冷凍室用帰還路３２の流出口間に位置するようにして開口されている。」（同明細書第８頁第１〜１５行）と記載されているから、上記訂正は、特許請求の範囲の請求項１に記載の発明の構成の内の「冷凍室」「冷蔵室用帰還路」「野菜室用帰還路」を更に限定して記載したものと言える。
　したがって、上記訂正は、特許明細書に記載された事項の範囲内において訂正するもので、特許請求の範囲の減縮を目的とするものであり、実質上特許請求の範囲を拡張し、変更するものでもない。
　ロ．について
　上記各訂正は、先の「イ．について」の項で述べた発明の詳細な説明中に記載の事項に加え、更に「冷蔵室２５内および野菜室２６内を冷却した後の比較的高温高湿の空気は冷却器室２８底部の中央部において閉口する野菜室用帰還路３５の流出口３５ｂから冷却器室２８内に流入する。このため、比較的高温多湿な野菜室２６の空気は冷却器３０の中央部分を上昇しつつ拡散されるようになって冷却器３０への着霜は全体に平均化されるようになり、冷却器３０の冷却効果が損なわれるおそれはない。」（特許明細書第９頁第１９行〜第１０頁第７行）、「冷蔵室に供給した冷気を冷却器に戻す帰還路のために断熱箱体の側壁の厚さを厚くせずとも済むと共に、冷却器の着霜も偏って生ずるおそれがない、という優れた効果を奏するものである。」（同明細書第１１頁第２〜６行）の記載事項および図面第１乃至第４図に示されたものに整合させて、［課題を解決するための手段］［作用］［実施例］［発明の効果］のそれぞれの項中の記載を明瞭にしたものと言える。
　したがって、上記訂正は、特許明細書に記載された事項の範囲内において訂正するもので、明瞭でない記載の釈明を目的とするものであり、実質上特許請求の範囲を拡張し、変更するものでもない。
　ハ．について
　上記訂正は、誤記の訂正を目的とするものであり、実質上特許請求の範囲を拡張し、変更するものでもない。
（２）独立特許要件の判断
　訂正明細書の特許請求の範囲の請求項１に係る発明は、上記２．（１）の項において示したように、その特許請求の範囲の請求項１に記載された事項によって特定される通りのものと認める。
　これに対して、当審において通知した取消理由で引用した刊行物１である実願昭５２−１２７０５２号（実開昭５４−５２７５８号）のマイクロフィルムには、「冷凍室、冷蔵室、野菜室、を各々有し、前記冷凍室と冷蔵室は冷気を直接前記両室内に循環させて冷却を行い、前記野菜室においては、冷気を前記室内に直接導入することなく前記室の外周を冷気にて冷却して間接的に冷却を行うものにおいて、冷蔵室戻り冷気を前記野菜室の冷却用ダクトに導いてなる冷蔵庫」（実用新案登録請求の範囲）、「１は冷蔵庫本体で、上方に冷蔵室２、下方左側に野菜室３、下方右側に冷凍室４を設けている。５は冷凍室４内に設けた冷却室で、仕切板６と内箱７間に冷却器８、送風ファン９を収納している。」（第２頁第１４〜１８行）、「冷却用ダクト１５は冷蔵室２からの戻り空気を導くもので冷蔵室吸入口１４から通路１９にて連絡してあり、最終的に冷却用ダクト１５の冷気は野菜室戻り通路２０を通って、冷却室５に戻るものである。」（第３頁第６〜１０行）、「冷蔵室２を流れた冷気は野菜室３の冷却用ダクト１５を流れ、冷却室５にもどる。」（第３頁第１３〜１５行）点がそれぞれ記載されている。
　また、同じく引用した刊行物２である実願昭５３−１１３０４２号（実開昭５５−３０３２１号）のマイクロフィルムには、「冷蔵室及び冷凍室並びにこれらに次ぐ第三の室を有し、その第三の室を前記冷蔵室より下方に独立に配置して、それらの間に、前記冷蔵室内の冷却器部分から自然に降下する冷気の一部を前記第三の室の下部からその室内へと導く送気ダクトを設けると共に、該第三の室の上部からその室内の空気を前記冷蔵室内へと導く、戻気ダクトを設けて成る冷蔵庫」（実用新案登録請求の範囲）、「冷蔵室及び冷凍室に次ぐ第三の室は専ら野菜室として使用せられる」（第１頁第１５〜１７行）、「第１図を参照して説明するに、図中１は冷蔵庫本体、２はその庫内最上段の冷蔵室」（第２頁第９〜１１行）、「これに対し９は前記冷蔵庫本体１内中段の冷凍室」（第２頁第１８〜１９行）、「そして１２は前記冷蔵庫本体１内の最下段要するに前記冷蔵室２よりも又冷凍室９よりも下方に独立して配置形成した第三の室」（第３頁第２〜４行）点がそれぞれ記載されている。
　そこで、本件特許請求の範囲の請求項１に係る発明と前記刊行物１および刊行物２に記載されたものとを比較すると、本件の特許請求の範囲の請求項１に係る発明においては、その発明の解決しようとする課題は、特許明細書の発明の詳細な説明中に記載されているように、「冷凍室の上方に冷蔵室、下方に野菜室を形成したものであって、冷蔵室に供給した空気を冷却器に戻すための帰還路のために断熱箱体の側壁の厚さを厚くせずとも済むと共に、冷却器の着霜も偏って生ずるおそれのない」（［発明の解決しようとする課題］の項）ようにしようとするものであって、そのため冷凍室の上方に冷蔵室、下方に野菜室を形成し、それら各室を冷却すべく冷却器により冷却された空気をファン装置により循環させるようにした冷蔵庫において、特に「冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させた」構成を採るのに対し、前記刊行物１に記載のものは、単に冷凍室、冷蔵室、野菜室を各々有し、該冷凍室と該冷蔵室は冷気を直接両室内に循環させて冷却を行い、該野菜室においては、冷気を該野菜室内に直接導入することなく該野菜室の外周を冷気にて冷却して間接的に冷却を行うように冷蔵室戻り冷気を野菜室の冷却用ダクトに導く構成にした冷蔵庫というだけであり、また、前記刊行物２に記載のものは、単に、冷蔵室および冷凍室並びにこれらに次ぐ第三の室即ち野菜室を有し、該野菜室を該冷蔵室より下方に独立に配置して、それらの間に該冷蔵室内の冷却器部分から自然に降下する冷気の一部を該野菜室の下部からその室内へと導く送気ダクトを設けると共に、該野菜室の上部からその室内の空気を該冷蔵室内へと導く戻気ダクトを設けて成る冷蔵庫というだけであって、前記刊行物１および刊行物２のいずれにも本件の特許請求の範囲の請求項１に係る発明の構成要件である「冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させた」点の構成は何ら記載されてない。
　そして、本件の特許請求の範囲の請求項１に係る発明におけるこの点の構成により、本件特許明細書の発明の詳細な説明中に記載されているように「冷蔵室２５内および野菜室２６内を冷却した後の比較的高温高湿の空気は冷却器室２８底部の中央部において閉口する野菜室用帰還路３５の流出口３５ｂから冷却器室２８内に流入する。このため、比較的高温多湿な野菜室２６の空気は冷却器３０の中央部分を上昇しつつ拡散されるようになって冷却器３０への着霜は全体に平均化されるようになり、冷却器３０の冷却効果が損なわれるおそれはない。」（特許明細書第９頁第１９行〜第１０頁第７行）、「また、冷蔵室２５に供給された冷気は野菜室２６送るので、冷蔵室用帰還路３４を野菜室２６に連通させればよくなる。このため、冷蔵室用帰還路を冷却器室の側端部に連通させるものとは異なり、冷蔵室用帰還路３４を断熱箱体２１の右壁部に設けずとも、断熱箱体２１のうち、本来、冷却器室２８の形成のために厚く設定される冷凍室後部の断熱壁内に形成でき、断熱箱体２１の内容積が狭められるおそれはない。」（特許明細書第１０頁第１２〜２０行）と言えるし、また、同［発明の効果］の項に記載されているように、冷蔵室用帰還路を冷凍室後部の断熱壁内で冷凍室の背部に配置された冷却器に隣接する部位を通って下方に延長して先端の流出口を野菜室に開口させるようにしたので、冷蔵室に供給した冷気を冷却器に戻す帰還路のために断熱箱体の側壁の厚さを厚くせずとも済むと共に、野菜室用帰還路を冷凍室と野菜室とを仕切る断熱仕切壁に形成してその流出口を冷却器の横方向の中央部に対応位置させたので、冷却器の着霜も偏って生ずるおそれがない、という優れた効果を奏するものである。」と言える。
　これらのことから、本件の特許請求の範囲の請求項１に係る発明は、前記刊行物１および刊行物２の各刊行物に記載されたれたものに基づいて当業者が容易に発明をすることができたものであるとは言えない。
　したがって、本件の特許請求の範囲の請求項１に係る発明は、特許出願の際独立して特許を受けることができるものである。
（３）むすび
　以上の通りであるから、上記訂正は、特許法第１２０条の４第２項および同条第３項において準用する第１２６条第２乃至第４項の規定に適合するので、当該訂正を認める。
４．特許異議の申立てについての判断
（１）本件発明
　訂正明細書の特許請求の範囲の請求項１に係る発明は、該明細書および図面の記載からみて、上記２．（１）の項において示したように、その特許請求の範囲の請求項１に記載された事項によって特定される通りのものである。
（２）申立ての理由
　これに対して、特許異議申立人は、本件の特許請求の範囲の請求項１に係る発明は、その出願前に頒布された刊行物である甲第１号証（実願昭５３−１１３０４２号（実開昭５５−３０３２１号）のマイクロフィルム）および甲第２号証（実願昭５２−１２７０５２号（実開昭５４−５２７５８号）のマイクロフィルム）に記載のものに基づいて当業者が容易に発明をすることができたものと認められ、特許法第２９条第２項の規定により特許を受けることができない旨主張している。
（３）判断
　甲第１号証および甲第２号証の各刊行物には、上記３．（２）の項で示したように、本件の特許請求の範囲の請求項１に係る発明の構成が記載されていないから、本件の特許請求の範囲の請求項１に係る発明は、前記甲第１号証および甲第２号証の各刊行物に記載されたれたものに基づいて当業者が容易に発明をすることができたものであるから、特許法第２９条第２項の規定により特許を受けることができない、とする特許異議申立人の上記主張は採用することができない。
（４）むすび
　以上の通りであるから、特許異議申立ての理由およびその証拠によっては、本件の特許請求の範囲の請求項１に係る発明の特許を取り消すことはできない。
　また、他に本件の特許請求の範囲の請求項１に係る発明の特許を取り消すべき理由を発見しない。
　よって、結論のとおり決定する。
【異議決定日】
平成１１年５月２８日（１９９９．５．２８）
【訂正の要旨】
（１）特許請求の範囲の請求項１に記載の「前記冷蔵室に送られた冷気を戻すための冷蔵室用帰還路を前記野菜室に連通させ、野菜室に送らた冷気を野菜室用帰還路を介して前記冷却器に戻すようにした」を「前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させた」と訂正する。
（２）発明の詳細な説明の記載において、明細書第４頁第２０行から第５頁第３行の「前記冷蔵室に送られた冷気を戻すための冷蔵室用帰還路を前記野菜室に連通させ、野菜室に送られた冷気を野菜室用帰還路を介して前記冷却器に戻すようにした」を「前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の中央部に対応位置させた」と訂正し、
　同第５頁第１３行に記載の「背壁に」を「冷凍室後部の断熱壁内に冷却器に隣接して」と訂正し、
　同第５頁第１４行に記載の「背壁は例えば」を「冷凍室後部の断熱壁は」と訂正し、
　同第５頁第１７行に記載の「い。」の次に「また、野菜室用帰還路が冷凍室と野菜室とを仕切る断熱仕切壁に形成されてその流出口が冷凍室の横方向の中央部に対応位置するので、冷却器に霜が偏って付着することがない。」を加入し、
　同第８頁第４行から第５行に記載の「背壁のうち」を「冷凍室２４後部の断熱壁内で」と訂正し、
　同第１０頁第１８行に記載の「背壁部」を「冷凍室後部の断熱壁内」と訂正し、
　同第１１頁第２行に記載の「本発明によれば、」と「冷蔵室」との間に「冷蔵室用帰還路を冷凍室後部の断熱壁内で冷凍室の背部に配置された冷却器に隣接する部位を通って下方に延長して先端の流出口を野菜室に開口させるようにしたので、」を加入し、
　同第１１頁第４行に記載の「共に、」と第５行の「冷却器」との間に野菜室用帰還路を冷凍室と野菜室とを仕切る断熱仕切壁に形成してその流出口を冷却器の横方向の中央部に対応位置させたので、」を加入する。
（３）発明の詳細な説明の記載において、明細書第７頁第１１に記載の「望む」を「臨む」と訂正する。
（５４）【発明の名称】
冷蔵庫
（５７）【特許請求の範囲】
　１．冷凍室の上方に冷蔵室、下方に野菜室を形成し、それら各室を冷却すべく冷却器により冷却された空気をファン装置により循環させるようにしたものであって、
前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させた
【発明の詳細な説明】
　［発明の目的］
　　（産業上の利用分野）
　本発明は冷凍室の上方に冷蔵室、下方に野菜室を形成した冷蔵庫に関する。
　　（従来の技術）
　冷蔵庫は、通常、上から冷凍室、冷蔵室および野菜室の順に配列されている。
　ところが、使用頻度は冷凍室よりも冷蔵室の方が高いという事情があるため、扉の開閉や食品の出入れのし易さを考慮して、最近の大型冷蔵庫では、上から冷蔵室、冷凍室および野菜室の順に配列することが考えられている。
　一方、いわゆるファンクール式の冷蔵庫では、従来より、冷凍室の背部に冷却器を配設し、この冷却器により冷却された空気を各室内に送り、そして各室からそれぞれの室専用の帰還路を介して冷却器に戻すようにしている。
　この従来技術を踏襲すると、断熱箱体に上から順に冷蔵室、冷凍室および野菜室を形成するものにあっては、第５図ないし第７図に示すように、断熱箱体１内に形成された冷蔵室２、冷凍室３および野菜室４のうち、冷凍室３の背部に冷却器５を配設した冷却器室６を形成し、冷却器５により冷却された冷気を、ファン装置７により直接冷凍室３に送風すると共に、冷蔵室用送風路８および野菜室用送風路９を通じて冷蔵室２および野菜室４に送風する。そして、各室２〜４内に送られた冷気はそれぞれ専用の帰還路１０〜１２を通じて冷却器室６内に戻す、というように構成される。これら帰還路１０〜１２のうち、冷蔵室用帰還路１０は上断熱仕切壁１３から断熱箱体１の左側壁および下断熱仕切壁１４にかけて形成され、その冷蔵室用帰還路１０の流出口は、野菜室用帰還路１２の流出口を中央に挟んで設けられている２つの冷凍室用帰還路１１の流出口うちの左側の流出口の更に左側に位置するようにして冷却器室５の底部に連結される。
　　（発明が解決しようとする課題）
　ところが、上述のように構成すると、冷蔵室用帰還路１０が断熱箱体１の左側壁を通るため、その分だけ断熱箱体１の左側壁の厚さを厚くしないと、冷凍室３を外部と断熱する効果が失われてしまう。しかし、断熱箱体１の側壁を厚くしたのでは、冷蔵庫全体として大きさの割に内容積が減少し、貯蔵できる食品の量が少なくなる。また、冷蔵室２から冷却器室６に戻される空気は冷凍室３からの空気に比べて高温高湿であるが、このような空気を冷却器室６内に左側に偏った部位から流入させると、その空気は冷却器室６の左内側面に沿って上昇する傾向が強くなり、このため冷却器５の左側に霜が厚く付着するようになって冷却器５の冷却効果を著しく損ねるという問題を生ずる。
　本発明は上記事情に鑑みてなされたもので、その目的は、冷凍室の上方に冷蔵室、下方に野菜室を形成したものであって、冷蔵室に供給した冷気を冷却器に戻すための帰還路のために断熱箱体の側壁の厚さを厚くせずとも済むと共に、冷却器の着霜も偏って生ずるおそれのない冷蔵庫を提供するにある。
　［発明の構成］
　　（課題を解決するための手段）
　本発明の冷蔵庫は、冷凍室の上方に冷蔵室、下方に野菜室を形成し、それら各室を冷却すべく冷却器により冷却された空気をファン装置により循環させるようにしたものであって、
前記冷却器を前記冷凍室の背部に配置し、前記冷蔵室に送られた冷気を戻すための冷蔵室用帰還路を前記冷凍室後部の断熱壁内で前記冷却器に隣接する部位を通って下方に延長して先端の流出口を前記野菜室に開口させ、野菜室に送られた冷気を冷却器に戻すための野菜室用帰還路を前記冷凍室と野菜室とを仕切る断熱仕切壁に形成してその流出口を前記冷却器の横方向の中央部に対応位置させた
　　（作用）
　冷蔵室から冷却器に戻すべき空気は、冷蔵室用帰還路から一端野菜室内に吹き出され、その後、野菜室用帰還路を通じて冷却器に戻される。このため、冷蔵室用帰還路を冷却器室の例えば左側端部に連結せねばならなかった従来とは異なり、そのような必要がなくなり、また冷却器室から野菜室に冷気を送る野菜室用送風路を設けなくとも済むので、冷蔵室用帰還路を断熱箱体の
冷凍室後部の断熱壁内に冷却器に隣接して
冷凍室後部の断熱壁は
また、野菜室用帰還路が冷凍室と野菜室とを仕切る断熱仕切壁に形成されてその流出口が冷凍室の横方向の中央部に対応位置するので、冷却器に霜が偏って付着することがない。
（実施例）
　以下、本発明の一実施例につき第１図ないし第４図を参照しながら説明する。
　第１図において、断熱箱体２１内には上下二段に断熱仕切壁２２および２３が設けられ、この断熱仕切壁２２および２３により断熱箱体２１内の中央部に冷凍室２４、この冷凍室２４の上方に冷蔵室２５、冷凍室２４の下方に野菜室２６が区画形成されている。
　上記冷凍室２４の背部には第４図に示すように凹室が形成されており、この凹室は冷凍室２４から仕切板２７により隔離されて冷却器室２８として構成されている。この冷却器室２８内には第２図に示すようにファン装置２９および冷却器３０が上下の位置関係をもって配設されており、ファン装置２９は冷却器３０により冷却された空気を以下に述べるような経路を辿って循環させる。
　すなわち、仕切板２７には送風口３１が形成され、ファン装置２９により送風される冷気の一部はこの送風口３１から直接的に冷凍室２４内に送られる。そして、冷凍室２４内に送られた冷気は第２図および第３図に示すように冷凍室用帰還路３２を通じて冷却器室２８内に戻されるようになっている。この冷凍室用帰還路３２は、下断熱仕切壁２３の左右両側に１本ずつ計２本形成されており、その流入口３２ａは下断熱仕切壁２３の前部において冷凍室２４内に開口し、流出口（図示せず）は冷却器室２８内に対し該冷却器室２８の底部の左右両側において開口されている。
　一方、ファン装置２９により送風される冷気の残る一部は第１図および第２図に示すように断熱箱体２１に形成された冷蔵室用送風路３３を通じて冷蔵室２５内に送られる。この冷蔵室用送風路３３は上断熱仕切壁２２に冷却器室２８内に
臨む
　さて、上記冷蔵室用帰還路３４は、第１図に示すように上断熱仕切壁２２の中央部に形成された流入口３４ａから右後方に向って延長され、さらに第４図にも示すように断熱箱体２１の
冷凍室２４後部の断熱壁内で
　上記構成において、ファン装置２９が起動すると、冷却器３０により冷却された冷気の一部は送風口３１から直接的に冷凍室２４内に送られ、そして冷凍室用帰還路３２を通じて冷却器室２８内に戻されて冷却器３０により再び冷却される、というように循環する。また、冷却器３０により冷却された冷気の残る一部は冷蔵室用送風路３３を通じて冷蔵室２５内に送られる。そして、冷蔵室２５内に送られた冷気は冷蔵室用帰還路３４を通じて野菜室２６に送られ、その後、野菜室用帰還路３５を通じて冷却器室２８内に戻されて再び冷却器３０により冷却される、というように循環する。以上のように循環する冷気により各室２４〜２６が冷却される。この場合、野菜室２６内には冷蔵室２５を冷却した後の冷気が供給されることとなるが、野菜室２６はそれ程低温度に冷やす必要はないから野菜室２６の冷却が損なわれるおそれはない。
　しかして、冷凍室２４内を冷却した後の比較的低温低湿の空気は冷却器室２８底部の左右両側において開口する冷凍室用帰還路３２の流出口から冷却器室２８内に流入する。また、冷蔵室２５内および野菜室２６内を冷却した後の比較的高温高湿の空気は冷却器室２８底部の中央部において開口する野菜室用帰還路３５の流出口３５ｂから冷却器室２８内に流入する。このため、比較的高温多湿な野菜室２６の空気は冷却器３０の中央部分を上昇しつつ拡散されるようになって冷却器３０への着霜は全体に平均化されるようになり、冷却器３０の冷却効果が損なわれるおそれはない。もちろん、冷凍サイクルの図示しないコンプレッサが所定時間行われると、除霜用ヒータ３６が通電されて除霜を行うので、冷却器３０に霜が多量に付着したままになるおそれはない。
　また、冷蔵室２５に供給された冷気は野菜室２６に送るので、冷蔵室用帰還路３３を野菜室２６に連通させればよくなる。このため、冷蔵室用帰還路を冷却器室の側端部に連通させるものとは異なり、冷蔵室用帰還路３３を断熱箱体２１の右壁部に設けずとも、断熱箱体２１のうち、本来、冷却器室２８の形成のために厚く設定される
冷凍室２４後部の断熱壁内
　　［発明の効果］
　以上説明したように本発明によれば、
冷蔵室用帰還路を冷凍室後部の断熱壁内で冷凍室の背部に配置された冷却器に隣接する部位を通って下方に延長して先端の流出口を野菜室に開口させるようにしたので、
野菜室用帰還路を冷凍室と野菜室とを仕切る断熱仕切壁に形成してその流出口を冷却器の横方向の中央部に対応位置させたので、
【図面の簡単な説明】
　第１図ないし第４図は本発明の一実施例を示すもので、第１図は扉を除去して示す斜視図、第２図および第３図は互い異なる部分の縦断側面図、第４図は第１図のＩＶ−ＩＶ線に沿う横断平面図である。また、第５図ないし第７図は従来例を示す第１図および第２図ならびに第４図相当図である。
　図中、２１は断熱箱体、２２，２３は断熱仕切壁、２４は冷凍室、２５は冷蔵室、２６は野菜室、２８は冷却器室、２９はファン装置、３０は冷却器、３２は冷凍室用帰還路、３３は冷蔵室用送風路、３４は冷蔵室用帰還路、３５は野菜室用帰還路である。